(57)【要約】【課題】反射ミラーの保持角度調整機能を具備しつつ、装置の小型化を図ることができるレーザ走査装置およびこれを備えた画像形成装置を提供する。【解決手段】ハウジングのボトムカバー部材３７４に溝部３８０を形成し、保持部材４００を用いて反射ミラー３５０をハウジングに保持する。このとき、保持部材４００の一端部（溝係合部４４０）は、溝部３８０に回動自在に係合し、保持部材４００の他端部（本端部または上部支持部４２０）は、調整ねじ５００に当接している。また、弾性部材３６０は、反射ミラー３５０を調整ねじ５００側に付勢している。【選択図】図５
2008009000.tif 000002
【特許請求の範囲】
【請求項１】
レーザ光源と、
前記レーザ光源から出力されたレーザ光を偏向して対象物に走査させる偏向手段と、
前記偏向手段によって偏向されたレーザ光を反射して前記対象物に導く反射ミラーと、
前記レーザ光源、前記偏向手段、および前記反射ミラーを収納するハウジングと、
前記ハウジングに取り付けられ、前記反射ミラーの保持角度を調整する調整部材と、
前記反射ミラーを前記調整部材側に付勢する付勢部材と、を有するレーザ走査装置において、
前記ハウジングに形成された溝部と、
前記反射ミラーを保持するとともに、一端部が前記溝部に回動自在に係合し、他端部が前記調整部材に当接する保持部材と、
を有するレーザ走査装置。
【請求項２】
前記保持部材は、
一端に、前記溝部に回動自在に係合する溝係合部を有し、
前記溝係合部は、前記溝部に対する動きを円滑にする形状に形成されている、
請求項１記載のレーザ走査装置。
【請求項３】
前記溝係合部は、
略円筒形状または円柱形状に形成されている、
請求項２記載のレーザ走査装置。
【請求項４】
前記溝部は、
断面がＶ字形またはＵ字形である、
請求項３記載のレーザ走査装置。
【請求項５】
前記保持部材は、
一端に、前記反射ミラーの短手方向の一端部を囲んで支持する第１支持部を有し、
前記第１支持部を含む端部が前記調整部材に当接する、
請求項１記載のレーザ走査装置。
【請求項６】
前記保持部材は、
他端に、前記第１支持部に対向して前記反射ミラーの短手方向の他端部を挟み込んで
支持する第２支持部を有する、
請求項５記載のレーザ走査装置。
【請求項７】
前記保持部材は、
金属材料で形成されている、
請求項６記載のレーザ走査装置。
【請求項８】
請求項１から請求項７のいずれかに記載のレーザ走査装置を備えた画像形成装置。
【発明の詳細な説明】
【技術分野】
【０００１】
本発明は、レーザ走査装置およびこれを備えた画像形成装置に関する。
【背景技術】
【０００２】
近年、電子写真方式の画像形成装置（例えば、ファクシミリや複写機、プリンタ、複合機など）において、レーザ走査装置を用いて感光体ドラム上に静電潜像を形成するものがある。このレーザ走査装置は、例えば、半導体レーザユニットと、この半導体レーザユニットから出力されたレーザ光を偏向するポリゴンモータユニットと、このポリゴンモータユニットで偏向されたレーザ光を対象物（感光体ドラム）上に集光させるｆθレンズと、偏向されたレーザ光の光軸を折り曲げてレーザ光を対象物に導くための反射ミラーとを備えている。反射ミラーを設けることで、画像形成装置内の所定の位置にレーザ走査装置を設置することができる。
【０００３】
反射ミラーは、レーザ走査装置のハウジングに形成された凸部に当接して保持されるため、反射ミラーの保持角度は、凸部の形状と位置によって決まってしまう。そのため、反射ミラーの保持角度がずれると、感光体ドラムの所定の位置にレーザ光が照射されなくなり、画像に悪影響を与えてしまう。そこで、一般に、レーザ走査装置のハウジング内には、反射ミラーの保持角度を調整するための構造が設けられている。
【０００４】
従来の反射ミラー保持角度調整構造（以下単に「保持角度調整構造」という）としては、例えば、図１３に示す構造が知られている（特許文献１参照）。この構造では、反射ミラー１を取り付けたハウジング３に、このハウジング３を貫通するように調整ねじ５を設け、この調整ねじ５の一端を、ハウジング３の底面７側に突出させて、反射ミラー１の反射面１ａに当接させる一方、調整ねじ５の他端をハウジング３の裏面９から外部に臨ませ、調整ねじ５の他端に、調整ねじ５を回動させる際に用いられる六角レンチを係合させるための係合部５ａを形成している。
【０００５】
このような従来の保持角度調整構造において、反射ミラー１の保持位置は、反射ミラー１の長手方向（レーザ光の走査方向）の両端であり、このうち一端に調整ねじ５が配置されている。このとき、調整ねじ５の頭部５ｂは、反射ミラー１の短手方向（レーザ光の幅方向）の上縁寄りに配置され、その下縁寄りには、反射ミラー１を支持する、ハウジング３に形成された凸部１１が設けられている。
【０００６】
このような反射ミラー１の保持角度調整構造は、レーザ光走査範囲の外側に、つまり、レーザ光が通過しない領域に存在するため、画像形成時にレーザ光と干渉することはない。
【特許文献１】実開平５−４５６２１号公報
【発明の開示】
【発明が解決しようとする課題】
【０００７】
しかしながら、上記従来の保持角度調整構造では、反射ミラー１を用いてレーザ光を対象物に向けて折り曲げるため、反射ミラー１は、レーザ光に対して所定の角度傾斜させた状態で配置されることになる。しかも、後述する理由により、反射ミラー１の短手方向の長さＬ１を短くするには、構造上一定の限定がある。一方で、反射ミラー１の短手方向の長さＬ１を短くした場合は、調整ねじ５を少し回しただけでも角度が大きく変わるため、保持角度を調整しにくいのみならず、振動などで調整ねじ５がわずかに回動した場合など角度変化が大きい。したがって、実際問題として、反射ミラー１の短手方向の長さＬ１は比較的長くならざるを得ず、レーザ光走査範囲の内側でレーザ光と干渉しないように反射ミラー１を配置すると、レーザ走査装置が大型化してしまうという問題がある。なお、同図中、符号「Ｌ２」は、反射ミラー保持角度調整の基準となる凸部１１と、調整ねじ５の頭部５ｂとの間の支点間距離である。
【０００８】
レーザ走査装置の大型化を回避するためには、レーザ光が反射ミラーに干渉しないように、短手方向の長さＬ１を短くした反射ミラー、または、レーザ光を反射しない非反射面側の短手方向の稜に面取りを施した反射ミラーを使用する必要がある。実際に、反射ミラーの短手方向の稜に面取りを施す場合は、反射ミラーの長手方向に沿って一部分に面取りを施すとコストが大きくなるため、長手方向に沿って端から端まで全域にわたって面取りを施すことが多い。
【０００９】
ところが、上記従来の保持角度調整構造では、反射ミラー１の短手方向の上端部には調整ねじ５が設置され、反射ミラー１の下端部には、反射ミラー１を支持するハウジング３に形成された凸部１１が配置されるため、反射ミラー１の下端部に面取りを施した場合には、凸部１１が反射ミラー１の面取り部１３に配置されてしまい、安定した姿勢で反射ミラー１を保持することができない（図１４（Ａ）参照）。また、反射ミラー１の面取り部１３を避けて、調整ねじ５寄りに反射面１ａと平行な面（つまり、非反射面）１ｂにハウジング３の凸部１１を配置すると、支点間距離が短くなり（このときの支点間距離をＬ３とすると、Ｌ３＜Ｌ２）、やはり安定した姿勢で反射ミラー１を保持することができない（図１４（Ｂ）参照）。これは、短手方向の長さを短くした反射ミラー１（このときの反射ミラー１の短手方向の長さをＬ４とすると、Ｌ４＜Ｌ１）を使用した場合も同じである（図１４（Ｃ）参照）。したがって、上記従来の保持角度調整構造では、レーザ走査装置の小型化を図るために、短手方向の長さＬ１を短くした反射ミラーまたは短手方向の稜に面取りを施した反射ミラーを使用することは、構造上困難である。なお、反射ミラー１の下端部に面取りを施した場合における上記の不都合は、反射ミラー１の反射面１ａが保持側と反対側にある場合において、角部の干渉回避のためにレーザ光を反射しない非反射面１ｂ側の短手方向の稜に面取りを施した場合である。反射ミラー１の反射面１ａが保持側と同じ側にある場合は、たとえ非反射面１ｂの角に面取りを施しても、保持には影響しない。
【００１０】
また、上記従来の保持角度調整構造においては、調整ねじ５は反射ミラー１の短手方向の上縁寄りの端面に当接しているため、調整ねじ５の突出量を変えるために調整ねじ５を回動させると、調整ねじ５との接触により反射ミラー１の短手方向の上端面が損傷するおそれがあるという問題がある。
【００１１】
さらに、上記従来の保持角度調整構造においては、調整ねじ５の頭部５ｂから、調整ねじ５を回動させる工具（ドライバなど）を使用して調整ねじ５を回動させると、反射ミラー１の短手方向の上縁の端部（短手方向の端面と厚さ方向の端面の両方を含む）と工具とが接触してしまい、または、反射ミラー１の短手方向の上縁の端部に工具を誤って当ててしまい、反射ミラー１の短手方向の上縁の端部が損傷するおそれがあるという問題もある。
【００１２】
本発明は、かかる点に鑑みてなされたものであり、反射ミラーの保持角度調整機能を具備しつつ、装置の小型化を図ることができるレーザ走査装置およびこれを備えた画像形成装置を提供することを目的とする。
【課題を解決するための手段】
【００１３】
本発明のレーザ走査装置は、レーザ光源と、前記レーザ光源から出力されたレーザ光を偏向して対象物に走査させる偏向手段と、前記偏向手段によって偏向されたレーザ光を反射して前記対象物に導く反射ミラーと、前記レーザ光源、前記偏向手段、および前記反射ミラーを収納するハウジングと、前記ハウジングに取り付けられ、前記反射ミラーの保持角度を調整する調整ねじと、前記反射ミラーを前記調整ねじ側に付勢する付勢部材と、を有するレーザ走査装置において、前記ハウジングに形成された溝部と、前記反射ミラーを保持するとともに、一端部が前記溝部に回動自在に係合し、他端部が前記調整ねじに当接する保持部材と、を有する構成を採る。
【発明の効果】
【００１４】
本発明によれば、反射ミラーの保持角度調整機能を具備しつつ、装置の小型化を図ることができる。
【発明を実施するための最良の形態】
【００１５】
本発明の第１の態様に係るレーザ走査装置は、レーザ光源と、前記レーザ光源から出力されたレーザ光を偏向して対象物に走査させる偏向手段と、前記偏向手段によって偏向されたレーザ光を反射して前記対象物に導く反射ミラーと、前記レーザ光源、前記偏向手段、および前記反射ミラーを収納するハウジングと、前記ハウジングに取り付けられ、前記反射ミラーの保持角度を調整する調整部材と、前記反射ミラーを前記調整部材側に付勢する付勢部材と、を有するレーザ走査装置において、前記ハウジングに形成された溝部と、前記反射ミラーを保持するとともに、一端部が前記溝部に回動自在に係合し、他端部が前記調整部材に当接する保持部材と、を有する構成を採る。
【００１６】
この構成によれば、保持部材を用いて反射ミラーを保持するため、短手方向の長さを短くした反射ミラー、または、非反射面側の短手方向の稜に面取りを施した反射ミラーを使用しても、反射ミラーの保持角度調整の基準となる溝部と調整部材との間の支点間距離を、安定保持に必要な寸法だけ確保することができ、つまり、反射ミラー自体の寸法や面取りの有無によらず、安定保持に必要な寸法とすることができ（反射ミラーの長手方向の両端部はレーザ光との干渉を考えなくてもよいため、保持のための支点間距離を長くすることができる）、反射ミラーを安定した姿勢で保持することができる。しかも、このように溝部と調整部材との間の支点間距離が確保されているため、調整部材を少し移動しただけで角度が大きく変わったり（つまり、保持角度を調整しにくい）、振動などで調整部材がわずかに移動した場合にも角度が大きく変化したりするといった不都合はない。このため、実際にも、短手方向の長さを短くした反射ミラー、または、非反射面側の短手方向の稜に面取りを施した反射ミラーを使用することができ、装置の小型化を図ることができる。一方で、保持部材は、一端部が保持角度調整の基準となる溝部に回動自在に係合するため、保持部材（ひいては反射ミラー）の傾斜角度を調整する際に、調整部材（調整ねじ）の位置（突出量）を変えることにより、一端部を中心として自由に回動することができる。このため、対象物の所定の位置にレーザ光が照射するように、反射ミラーの保持角度を調整することができる。すなわち、この構成によれば、反射ミラーの保持角度調整機能を具備しつつ、装置の小型化を図ることができる。
【００１７】
本発明の第２の態様に係るレーザ走査装置は、上記構成のレーザ走査装置において、前記保持部材は、一端に、前記溝部に回動自在に係合する溝係合部を有し、前記溝係合部は、前記溝部に対する動きを円滑にする形状に形成されている、構成を採る。
【００１８】
この構成によれば、保持部材の溝係合部は溝部に対する動きが円滑になる形状に形成されているため、調整部材（調整ねじ）の位置（突出量）を変える際に、溝部に対する溝係合部の動き（回動）が滑らかになり、反射ミラーの保持角度を容易に調整することができる。
【００１９】
本発明の第３の態様に係るレーザ走査装置は、上記構成のレーザ走査装置において、前記溝係合部は、略円筒形状または円柱形状に形成されている、構成を採る。
【００２０】
この構成によれば、溝係合部の形状は略円筒形状または円柱形状であるため、溝係合部と溝部とが係合した状態において、溝部に対する溝係合部の動き（回動）を円滑にすることができる。
【００２１】
本発明の第４の態様に係るレーザ走査装置は、上記構成のレーザ走査装置において、前記溝部は、断面がＶ字形またはＵ字形である、構成を採る。
【００２２】
この構成によれば、ハウジングの溝部は断面がＶ字形またはＵ字形の形状をしているため、保持部材を支持しつつ、保持部材の溝係合部の形状と協働して、溝部に対する溝係合部の動き（回動）を円滑にすることができる。
【００２３】
本発明の第５の態様に係るレーザ走査装置は、上記構成のレーザ走査装置において、前記保持部材は、一端に、前記反射ミラーの短手方向の一端部を囲んで支持する第１支持部を有し、前記第１支持部を含む端部が前記調整部材に当接する、構成を採る。
【００２４】
この構成によれば、保持部材に、反射ミラーの短手方向の一端部を囲むように第１支持部を形成し、かかる保持部材を調整部材に当接するように配置するため、反射ミラーと調整部材とが接触することはなく、反射ミラーの短手方向の一端部を損傷せずに、調整部材（調整ねじ）を移動（回動）させることができる。また、調整部材の頭部から工具（ドライバなど）を使用して調整部材（調整ねじ）を移動（回動）させる際も、反射ミラーの短手方向の一端部と工具とが接触したり、または、反射ミラーの短手方向の一端部に工具を誤って当ててしまうことはなく、反射ミラーの短手方向の一端部を損傷せずに、調整部材（調整ねじ）を移動（回動）させることができる。
【００２５】
本発明の第６の態様に係るレーザ走査装置は、上記構成のレーザ走査装置において、前記保持部材は、他端に、前記第１支持部に対向して前記反射ミラーの短手方向の他端部を挟み込んで支持する第２支持部を有する、構成を採る。
【００２６】
この構成によれば、反射ミラーは第１支持部と第２支持部とで挟み込まれるため、保持部材を反射ミラーに容易に取り付けることができ、また、保持部材から外れることなく、反射ミラーの保持角度の調整を行うことができる。また、保持部材を反射ミラーに取り付けた状態で、反射ミラーをハウジングに取り付けることが可能になり、レーザ走査装置の組立性を向上することができる。
【００２７】
本発明の第７の態様に係るレーザ走査装置は、上記構成のレーザ走査装置において、前記保持部材は、金属材料で形成されている、構成を採る。
【００２８】
この構成によれば、保持部材を金属材料で形成するため、特に、第１支持部に対向する第２支持部を、反射ミラーを取り外し可能となるような弾性作用のある形状にすることができ、保持部材を事前にかつ容易に反射ミラーに取り付けることができる。
【００２９】
本発明の第８の態様に係る画像形成装置は、上記各構成のレーザ走査装置を備えた構成を採る。
【００３０】
この構成によれば、小型化されたレーザ走査装置を備えるため、画像形成装置の小型化をも図ることができる。
【００３１】
以下、本発明の実施の形態について、図面を用いて詳細に説明する。なお、以下の説明において、同一の部分には同一の符号を付し、その説明を適宜省略する。
【００３２】
図１は、本発明の一実施の形態に係るレーザ走査装置を適用したカラー画像形成装置を示す概略構成図である。
【００３３】
図１に示すカラー画像形成装置（以下単に「画像形成装置」という）１００は、帯電、露光、現像、転写、および定着の各プロセスを経て記録紙１１０にカラー画像を形成する画像形成部２００を有する。この画像形成部２００には、給紙部１２０の給紙カセットに収容された記録紙１１０が、給紙部１２０から画像形成部２００に向かう給紙経路Ａを経て逐次送り込まれる。画像形成部２００で所要の画像が形成された記録紙１１０は、画像形成部２００から装置外へと向かう排紙経路Ｂを経て排紙部１３０に排出される。
【００３４】
画像形成部２００は、イエロー（Ｙ）、マゼンタ（Ｍ）、シアン（Ｃ）、およびブラック（Ｋ）の各色成分のトナー像を形成する複数（ここでは４個）のプロセスユニット２１０ａ、２１０ｂ、２１０ｃ、２１０ｄを有する。各プロセスユニット２１０ａ〜２１０ｄは、感光体ドラム２１２ａ、２１２ｂ、２１２ｃ、２１２ｄと、帯電器２１４ａ、２１４ｂ、２１４ｃ、２１４ｄと、現像器２１６ａ、２１６ｂ、２１６ｃ、２１６ｄと、１次転写ローラ２１８ａ、２１８ｂ、２１８ｃ、２１８ｄとを有する。
【００３５】
また、画像形成部２００は、各プロセスユニット２１０ａ〜２１０ｄ内の感光体ドラム２１２ａ〜２１２ｄの作像面に対して露光用の光束（レーザ光）を走査するレーザ走査装置３００と、各プロセスユニット２１０ａ〜２１０ｄ内の感光体ドラム２１２ａ〜２１２ｄ上に作像された各色のトナー像が順次転写されて合成される中間転写ベルト（中間転写体）２２０とを有する。画像形成部２００は、各色用の感光体ドラム２１２ａ〜２１２ｄが中間転写ベルト２２０に沿って並んで配置されたタンデム型の構造を有する。
【００３６】
各プロセスユニット２１０ａ〜２１０ｄ内では、帯電器２１４ａ〜２１４ｄにより均一に帯電させた感光体ドラム２１２ａ〜２１２ｄの作像面に対して、レーザ走査装置３００から露光用の光束（レーザ光）が走査されることにより、静電潜像が形成される。各感光体ドラム２１２ａ〜２１２ｄの静電潜像は、現像器２１６ａ〜２１６ｄから供給される各色のトナーで現像される。これにより、各色成分の単色トナー像が、各感光体ドラム２１２ａ〜２１２ｄの作像面に形成される。
【００３７】
中間転写ベルト２２０は、駆動ローラ２３０および従動ローラ２４０に巻き掛けられて支持されている。この中間転写ベルト２２０の内側には、各色用の１次転写ローラ２１８ａ〜２１８ｄが配置されている。各１次転写ローラ２１８ａ〜２１８ｄは、中間転写ベルト２２０を押圧して、対応する感光体ドラム２１２ａ〜２１２ｄ上のトナー像を中間転写ベルト２２０に転写する。中間転写ベルト２２０の端部側方には、中間転写ベルト２２０上のトナー像を記録紙１１０に転写する２次転写ローラ２５０が配置されている。
【００３８】
この２次転写ローラ２５０によりトナー像が転写された記録紙１１０は、定着器２６０に搬送される。定着器２６０では、熱および圧力によりトナー像を記録紙１１０に定着させる処理が行われる。その後、記録紙１１０は、排紙経路Ｂを経て排紙ローラ１４０により排紙部１３０上に排出される。
【００３９】
図２は、図１に示すレーザ走査装置３００の概略構成を示す展開図である。
【００４０】
このレーザ走査装置３００は、図２に示すように、レーザ発光部３１０、ポリゴンモータユニット３２０、ｆθレンズ３３０、同期センサ３４０ａ、３４０ｂ、および同期センサ用反射ミラー３４２ａ、３４２ｂを有する。
【００４１】
レーザ発光部３１０は、レーザ光を発生し出力する。レーザ発光部３１０は、イエロー（Ｙ）、マゼンタ（Ｍ）、シアン（Ｃ）、およびブラック（Ｋ）の各色成分に対応して、複数組（ここでは４組）の半導体レーザユニット３１２ａ、３１２ｂ、３１２ｃ、３１２ｄとシリンドリカルレンズユニット３１６ａ、３１６ｂ、３１６ｃ、３１６ｄを有する。
【００４２】
各半導体レーザユニット３１２ａ〜３１２ｄには、レーザパッケージ３１３ａ、３１３ｂ、３１３ｃ、３１３ｄと、レーザパッケージ３１３ａ〜３１３ｄから出力されたレーザ光を平行光束とするコリメータレンズ３１４ａ、３１４ｂ、３１４ｃ、３１４ｄとが設けられている。各半導体レーザユニット３１２ａ〜３１２ｄから出力されたレーザ光は、シリンドリカルレンズユニット３１６ａ〜３１６ｄに入射される。
【００４３】
各シリンドリカルレンズユニット３１６ａ〜３１６ｄには、レーザ光を集光させるシリンドリカルレンズ３１７ａ、３１７ｂ、３１７ｃ、３１７ｄと、絞り３１８ａ、３１８ｂ、３１８ｃ、３１８ｄとが設けられている。シリンドリカルレンズユニット３１６ａ〜３１６ｄを通過した各色成分のレーザ光は、ポリゴンモータユニット３２０に集光される。
【００４４】
ポリゴンモータユニット３２０は、ポリゴンミラー３２２と、このポリゴンミラー３２２を保持して回転させる駆動モータ３２４とで構成されている。ポリゴンモータユニット３２０では、例えば、イエロー（Ｙ）およびマゼンタ（Ｍ）の色成分のレーザ光と、シアン（Ｃ）およびブラック（Ｋ）の色成分のレーザ光とが、ポリゴンミラー３２２の対向する反射面にそれぞれ集光される。この結果、イエロー（Ｙ）およびマゼンタ（Ｍ）の色成分のレーザ光と、シアン（Ｃ）およびブラック（Ｋ）の色成分のレーザ光とは、反対の方向にそれぞれ偏向される。偏光された各色成分のレーザ光は、ｆθレンズ３３０を通過する。
【００４５】
ｆθレンズ３３０は、偏光されたレーザ光を感光体ドラム２１２ａ〜２１２ｄの作像面上に集光させ、等速度で走査させることができる。ｆθレンズ３３０は、２組の第１ｆθレンズ３３２ａ、３３２ｂと第２ｆθレンズ３３４ａ、３３４ｂで構成されている。ポリゴンモータユニット３２０で偏向され第１ｆθレンズ３３２ａおよび第２ｆθレンズ３３４ａを通過したイエロー（Ｙ）およびマゼンタ（Ｍ）の色成分のレーザ光は、それぞれ、画像形成に必要な光路の範囲Ｐ１〜Ｐ２内で走査され、対応する感光体ドラム２１２ａ、２１２ｂの作像面に集光される。また、ポリゴンモータユニット３２０で偏向され第１ｆθレンズ３３２ｂおよび第２ｆθレンズ３３４ｂを通過したシアン（Ｃ）およびブラック（Ｋ）の色成分のレーザ光は、画像形成に必要な光路の範囲Ｐ３〜Ｐ４内で走査され、対応する感光体ドラム２１２ｃ、２１２ｄの作像面に集光される。
【００４６】
同期センサ３４０ａ、３４０ｂは、画像形成装置１００に画像信号を与えるタイミングを検出する。同期センサ３４０ａ、３４０ｂには、イエロー（Ｙ）およびブラック（Ｋ）の色成分のレーザ光がそれぞれ用いられる。反射ミラー３４２ａ、３４２ｂは、対応する同期センサ３４０ａ、３４０ｂに向けてレーザ光を反射させるための同期センサ用反射ミラーである。イエロー（Ｙ）およびブラック（Ｋ）の色成分のレーザ光は、それぞれ、ポリゴンモータユニット３２０で偏向され第１ｆθレンズ３３２ａ、３３２ｂおよび第２ｆθレンズ３３４ａ、３３４ｂを通過した後、同期センサ３４０ａ、３４０ｂの光路３４４ａ、３４４ｂを通り、同期センサ用反射ミラー３４２ａ、３４２ｂで反射されて、同期センサ３４０ａ、３４０ｂに入射する。同期センサ３４０ａ、３４０ｂは、イエロー（Ｙ）およびブラック（Ｋ）の色成分のレーザ光をそれぞれ入射すると、画像形成装置１００に画像信号を与える。
【００４７】
図３は、図１に示すレーザ走査装置３００の概略断面図である。
【００４８】
図３に示すように、ポリゴンモータユニット３２０の両側近傍には、ｆθレンズ３３０、具体的には、一対の第１ｆθレンズ３３２ａ、３３２ｂと第２ｆθレンズ３３４ａ、３３４ｂがそれぞれ配置されている。また、レーザ走査装置３００内には、ｆθレンズ３３０を通過した各レーザ光ＬＢ１〜ＬＢ４に対応して、４組の反射ミラー群、具体的には、４組の第１反射ミラー３５２ａ、３５２ｂ、３５２ｃ、３５２ｄ、シリンドリカルミラー３５４ａ、３５４ｂ、３５４ｃ、３５４ｄ、および第２反射ミラー３５６ａ、３５６ｂ、３５６ｃ、３５６ｄが配置されている。ｆθレンズ３３０を通過した各レーザ光ＬＢ１〜ＬＢ４は、対応する反射ミラー群３５２ａ〜３５２ｄ、３５４ａ〜３５４ｄ、３５６ａ〜３５６ｄによって反射されて、最終的に、対応する感光体ドラム２１２ａ〜２１２ｄの作像面に集光される。
【００４９】
各反射ミラー、つまり、第１反射ミラー３５２ａ〜３５２ｄ、シリンドリカルミラー３５４ａ〜３５４ｄ、および第２反射ミラー３５６ａ〜３５６ｄは、レーザ光の主走査方向に細長い形をしているため、（後述する図６および図７参照）、各反射ミラーの長手方向の両端部は、レーザ光ＬＢ１〜ＬＢ４が通過しないレーザ光走査範囲の外側で、弾性部材３６２ａ〜３６２ｄ、３６４ａ〜３６４ｄ、３６６ａ〜３６６ｄにより、レーザ走査装置３００のハウジング３７０（特に、後述するボトムカバー部材）に形成された凸部（反射ミラー取付部）に圧接保持されている。また、本実施の形態では、特に、例えば、第２反射ミラー３５６ａ〜３５６ｄについて、最終的に感光体ドラム２１２ａ〜２１２ｄに結像する位置を調整するため、その一端部に、反射ミラーを保持するとともにその保持角度を調整するための構造が設けられている。他の反射ミラー、つまり、第１反射ミラー３５２ａ〜３５２ｄおよびシリンドリカルミラー３５４ａ〜３５４ｄについては、部品寸法で角度（位置）決めをしている。反射ミラー保持角度調整構造については、後で詳細に説明する。
【００５０】
レーザ走査装置３００のハウジング３７０は、トップカバー部材３７２とボトムカバー部材３７４とで構成されている。トップカバー部材３７２とボトムカバー部材３７４とは、ポリゴンモータユニット３２０内のポリゴンミラー３２２の底面に平行でかつレーザ光反射面に垂直な平面に沿って分割されている。トップカバー部材３７２には、各色成分のレーザ光ＬＢ１〜ＬＢ４を対応する感光体ドラム２１２ａ〜２１２ｄに向けて出射させるための光出射窓３７６ａ〜３７６ｄが形成されている。また、トップカバー部材３７２には、レーザ走査装置３００の内部への塵の侵入を防ぐために、各色成分のレーザ光ＬＢ１〜ＬＢ４の光出射窓３７６ａ〜３７６ｄに、防塵ガラス３７８ａ〜３７８ｄが設けられている。
【００５１】
レーザ発光部３１０から出力された各色成分のレーザ光ＬＢ１〜ＬＢ４は、ポリゴンモータユニット３２０で偏光され、第１ｆθレンズ３３２ａ、３３２ｂおよび第２ｆθレンズ３３４ａ、３３４ｂを通過する。第２ｆθレンズ３３４ａ、３３４ｂを通過した各色成分のレーザ光ＬＢ１〜ＬＢ４は、第１反射ミラー３５２ａ〜３５２ｄで、シリンドリカルミラー３５４ａ〜３５４ｄに向けて反射される。シリンドリカルミラー３５４ａ〜３５４ｄは、第１反射ミラー３５２ａ〜３５２ｄで反射されたレーザＬＢ１〜ＬＢ４を、第２反射ミラー３５６ａ〜３５６ｄに向けて反射する。第２反射ミラー３５６ａ〜３５６ｄは、シリンドリカルミラー３５４ａ〜３５４ｄで反射されたレーザ光ＬＢ１〜ＬＢ４を、対応する感光体ドラム２１２ａ〜２１２ｄの作像面に向けて反射する。
【００５２】
本実施の形態では、第２反射ミラー３５６ａ〜３５６ｄについて、保持角度を調整する機能を確保しつつ、レーザ走査装置３００の小型化を図るために、特別の構成を有する保持部材を用いて、第２反射ミラー３５６ａ〜３５６ｄをハウジング３７０に取り付けるようにしている。
【００５３】
なお、以下の説明では、便宜上、第１反射ミラー３５２ａ〜３５２ｄ、シリンドリカルミラー３５４ａ〜３５４ｄ、および第２反射ミラー３５６ａ〜３５６ｄに対する任意の反射ミラーを、符号「３５０」で表し、この任意の反射ミラー３５０に対して保持角度調整構造を設けたことにする。また、複数の弾性部材３６２ａ〜３６２ｄ、３６４ａ〜３６４ｄ、３６６ａ〜３６６ｄに対する任意の弾性部材を、符号「３６０」で表すことにする。
【００５４】
図４は、本実施の形態における反射ミラー用保持部材の構成を示す斜視図である。
【００５５】
図４に示す保持部材４００は、平面状の本体部４１０と、上部支持部４２０と、下部支持部４３０と、溝係合部４４０とを有する。
【００５６】
本体部４１０には、例えば、反射ミラー３５０の非反射面３５０ｂが当接される。なお、レーザ光を折り曲げる向きによっては、反射ミラー３５０の反射面３５０ａが当接する場合もある。この場合は、短手方向の長さを短くした反射ミラーを使用する。
【００５７】
上部支持部４２０は、本体部４１０の上部に形成され、反射ミラー３５０の短手方向の上縁の端部（短手方向の端面と厚さ方向の端面の両方を含む）を囲んで支持し、これによって当該端部を保護する機能を有する。
【００５８】
下部支持部４３０は、上部支持部４２０に対向して本体部４１０の下部に形成され、反射ミラー３５０の短手方向の下縁の端部（短手方向の端面と厚さ方向の端面の両方を含む）を挟み込んで支持する機能を有する。下部支持部４３０は、反射ミラー３５０を取り外し可能となるような弾性作用のある形状をしている。図４に示す例では、下部支持部４３０は、一対の爪部４３０ａ、４３０ｂで構成されている。また、このように上部支持部４２０に加えて下部支持部４３０を設けることによって、保持部材４００を反射ミラー３５０に取り付けた状態で、反射ミラー３５０をハウジング３７０に取り付けることが可能になり、レーザ走査装置３００の組立性が向上するという効果も得られる。
【００５９】
溝係合部４４０は、ハウジング３７０（ボトムカバー部材３７４）に形成された溝部（後述する図５参照）に回動自在に係合し、ハウジング３７０に対して、保持部材４００を介して反射ミラー３５０を支持する機能を有する。溝係合部４４０は、反射ミラー３５０の保持角度の調整に際して、ハウジング３７０の上記溝部に対する動き（回動）を円滑にする形状をしている。図４に示す例では、溝係合部４４０は、略円筒の形状をしている。なお、溝係合部４４０の形状は、略円筒形状に限定されない。溝係合部４４０の形状のバリエーションについては、後で説明する。
【００６０】
保持部材４００は、金属材料、例えば、ステンレス鋼（ＳＵＳ３０１−ＣＳＰ）で形成されている。保持部材４００を金属材料で形成することにより、特に、上部支持部４２０に対向する下部支持部４３０を、反射ミラー３５０を取り外し可能となるような弾性作用のある形状にすることができる。
【００６１】
保持部材４００は、例えば、所定サイズの金属板に所定の曲げ加工を施して上部支持部４２０、下部支持部４３０、および溝係合部４４０を形成することによって、製造される。具体的には、例えば、上部支持部４２０は、金属板の長手方向の上端部をＬ字形状に折り曲げて形成され（Ｌ字曲げ）、下部支持部４３０は、その金属板の長手方向の下端部の、短手方向の両端部を、上部支持部４２０と同じ側に（つまり、上部支持部４２０に対向するように）Ｌ字形状に折り曲げて形成され（Ｌ字曲げ）、溝係合部４４０は、その金属板の、下部支持部４３０に挟まれた部分を、上部支持部４２０および下部支持部４３０と反対の側に略円筒形状に折り曲げて形成される。
【００６２】
図５は、図４に示す保持部材４００を用いた反射ミラー保持角度調整構造を示す要部断面図である。なお、図５に示す反射ミラー３５０は、例えば、一例として、非反射面３５０ｂの側に面取り部３５１を有する。面取り部３５１は、反射ミラー３５０の非反射面３５０ｂ側の短手方向の一端の稜に長手方向に沿って端から端まで全域にわたって面取りを施して形成されている。
【００６３】
図５に示す反射ミラー保持角度調整構造において、保持部材４００は、レーザ光が通過しないレーザ光走査範囲の外側で、保持部材４００の一端に形成された溝係合部４４０が、ハウジング３７０のボトムカバー部材３７４に形成された溝部３８０（ここでは、例えば、断面がＶ字形のＶ字溝）に係合し、もう一方の端部（本体部４１０および／または上部支持部４２０）が、調整ねじ５００の頭部５０２に当接するように配置されている。なお、溝部３８０の形状は、Ｖ字形に限定されない。後述するように、溝部３８０の形状は、Ｕ字形であってもよい。
【００６４】
このとき、反射ミラー３５０は、非反射面３５０ｂ側の長手方向の一端部が、保持部材４００に挟持されている、つまり、上部支持部４２０と下部支持部４３０で挟まれた状態で本体部４１０に当接して支持されている。
【００６５】
また、反射ミラー３５０の反射面３５０ａには、ハウジング３７０のボトムカバー部材３７４に固着された弾性部材３６０（ここでは、例えば、板ばね）が圧接している。この弾性部材３６０によって、反射ミラー３５０（および保持部材４００）は、溝部３８０を中心として調整ねじ５００の向きに付勢され、ハウジング３７０のボトムカバー部材３７４に押し付けられている。
【００６６】
また、この反射ミラー保持角度調整構造において、反射ミラー３５０の保持角度の調整は、調整ねじ５００を回動させる工具（ドライバなど）５１０を調整ねじ５００の頭部５０２に形成された係合部５０４に係合させ、工具５１０を用いて調整ねじ５００を回動させて、ハウジング３７０のボトムカバー部材３７４から突出する調整ねじ５００の頭部５０２の突出量を適宜調整することによって行われる。
【００６７】
図６は、図５に示す反射ミラー保持角度調整構造を含む反射ミラーの保持構造を示す斜視図である。また、図７は、図６に示す反射ミラーの保持構造の分解斜視図である。
【００６８】
図６および図７に示すように、反射ミラー３５０の長手方向の両端部は、ハウジング３７０のボトムカバー部材３７４に形成された一対の凸部（反射ミラー取付部）３７４ａ、３７４ｂにそれぞれ取り付けられる。一方の凸部３７４ａの側には、上記した図５に示す反射ミラー保持角度調整構造が設けられている。すなわち、この凸部３７４ａの側には、反射ミラー３５０を保持するとともにその保持角度を調整するための構造が設けられている。これに対して、もう一方の凸部３７４ｂの側には、反射ミラー３５０を保持するための構造のみが設けられている。
【００６９】
凸部３７４ａには、調整ねじ５００を取り付けるためのねじ穴を有する調整ねじ取付部３８２と、保持部材４００と係合する溝部（Ｖ字溝）３８０とが形成されている。また、凸部３７４ａには、弾性部材（板ばね）３６０ａを位置決めするためのボス３８４ａと、弾性部材（板ばね）３６０ａを固定するための固定ねじ３８６ａを取り付けるためのねじ穴部３８８ａとが形成されている。
【００７０】
また、凸部３７４ｂには、弾性部材（板ばね）３６０ｂを位置決めするためのボス３８４ｂと、弾性部材（板ばね）３６０ｂを固定するための固定ねじ３８６ｂを取り付けるためのねじ穴部３８８ｂとが形成されている。また、凸部３７４ｂには、反射ミラー３５０を支持するための支持部３９０が形成されている。
【００７１】
このように、反射ミラー３５０は、長手方向の両端部で保持されているが、保持角度調整機能が付いているのは片側のみである。保持角度調整機能が付いていない側は、反射ミラー３５０の短手方向の中央部で支持されており（保持側の面の中央部にハウジング３７０の支持部３９０を当て、反対側の面からは調整側と同じように板ばね３６０ｂで付勢している）、反対側に設けた調整ねじ５００による保持角度調整に対して、反射ミラー３５０の剛性により追従するようになっている。
【００７２】
したがって、反射ミラー３５０をハウジング３７０（ボトムカバー部材３７４）に取り付けた場合、図６に示すように、反射ミラー３５０の長手方向の一端部は、凸部３７４ａに配置され、保持部材４００を装着した状態で、溝部３８０と調整ねじ５００によって支持され、弾性部材３６０ａによってハウジング３７０（ボトムカバー部材３７４）に押し付けられた状態になる。また、反射ミラー３５０の長手方向の他端部は、凸部３７４ｂに配置され、支持部３９０によって支持され、弾性部材３６０ｂによってハウジング３７０（ボトムカバー部材３７４）に押し付けられた状態になる。これにより、反射ミラー３５０は、ハウジング３７０（ボトムカバー部材３７４）に保持される。また、反射ミラー３５０の保持角度の調整は、工具（ドライバ）５１０を用いて調整ねじ５００の突出量を調整することによって行われる。なお、図６中、符号「Ｓ」は、レーザ光の走査範囲を示している。
【００７３】
このように、本実施の形態によれば、保持部材４００を用いて反射ミラー３５０を保持するため、レーザ走査装置３００の小型化を図る場合、レーザ光が遮断されないよう、短手方向の長さを短くした反射ミラー、または、非反射面側の短手方向の稜に面取りを施した反射ミラーを使用しても、図１３に示す従来の構造（反射ミラーを直接ハウジングに保持する構造）と比較して、反射ミラー保持角度調整の基準となる溝部３８０と調整ねじ５００との間の支点間距離を、安定保持に必要な寸法だけ確保することができ、つまり、反射ミラー自体の寸法や面取りの有無によらず、安定保持に必要な寸法とすることができ、反射ミラーを安定した姿勢で保持することができる。具体的には、短手方向の長さを短くした反射ミラーの場合は、溝部３８０と調整ねじ５００との間の支点間距離Ｌ２を反射ミラーの短手方向の長さＬ１よりも大きくすることができる（Ｌ２＞Ｌ１）。また、非反射面側の短手方向の稜に面取りを施した反射ミラーの場合は、溝部３８０と調整ねじ５００との間の支点間距離Ｌ２の寸法を維持することができる。しかも、このように溝部３８０と調整ねじ５００との間の支点間距離Ｌ２が確保されているため、調整ねじ５００を少し回しただけで角度が大きく変わったり（つまり、保持角度を調整しにくい）、振動などで調整ねじ５００がわずかに回動した場合にも角度が大きく変化したりするといった不都合はない。このため、実際にも、短手方向の長さを短くした反射ミラー、または、非反射面側の短手方向の稜に面取りを施した反射ミラーを使用することができ、装置の小型化を図ることができる。
【００７４】
また、保持部材４００は、溝係合部４４０が保持角度調整の基準となるボトムカバー部材３７４の溝部３８０に係合しているため、保持部材４００（ひいては反射ミラー３５０）の傾斜角度を調整する際に、調整ねじ５００のボトムカバー部材３７４からの突出量を変えることにより、溝係合部４４０を中心として自由に回動することができる。このため、感光体ドラムの所定の位置にレーザ光が照射するように、反射ミラー３５０の保持角度を調整することができる。
【００７５】
したがって、反射ミラーの保持角度調整機能を具備しつつ、装置の小型化を図ることができる。
【００７６】
また、本実施の形態によれば、保持部材４００に、反射ミラー３５０の短手方向の上縁の端部を囲むように上部支持部４２０を形成し、かかる保持部材４００を調整ねじ５００に当接するように配置するため、調整ねじ５００の突出量を変えるために調整ねじ５００を回動させても、反射ミラー３５０と調整ねじ５００とが接触することはなく、反射ミラー３５０の短手方向の上端面が損傷するおそれはない。すなわち、反射ミラー３５０の短手方向の上端面を損傷せずに、調整ねじ５００を回動させることができる。
【００７７】
また、このように、保持部材４００に上部支持部４２０を形成し、かかる保持部材４００を調整ねじ５００に当接するように配置するため、調整ねじ５００の頭部５０２から、調整ねじ５００を回動させる工具（ドライバなど）を使用して調整ねじ５００を回動させても、反射ミラー３５０の短手方向の上縁の端部と工具とが接触したり、または、反射ミラー３５０の短手方向の上縁の端部に工具を誤って当ててしまうことはない。したがって、反射ミラー３５０の短手方向の上縁の端部を損傷させることなく、調整ねじ５００を回動させることができる。
【００７８】
また、本実施の形態によれば、保持部材４００に、上部支持部４２０に対向して下部支持部４３０を形成したため、反射ミラー３５０を上部支持部４２０と下部支持部４３０とで挟み込むだけで、保持部材４００を反射ミラー３５０に容易に取り付けることができる。この取付状態において、反射ミラー３５０は、保持部材４００から外れることなく、保持角度の調整を行うことができる。
【００７９】
また、このように保持部材４００に下部支持部４３０を形成したため、保持部材４００を反射ミラー３５０に取り付けた状態で、反射ミラー３５０をハウジング３７０に取り付けることが可能になる。このため、保持部材４００を事前に反射ミラー３５０に取り付けて、レーザ走査装置３００内に容易に組み付けることができ、レーザ走査装置３００の組立性を向上することができる。
【００８０】
なお、保持部材４００の形状は、上記の例に限定されない。以下では、保持部材４００（特に溝係合部４４０）の形状のバリエーションについて、図８〜図１２を用いて説明する。
【００８１】
図８に示す例は、保持部材を１つの部品で構成した場合である。図８に示す保持部材４００は、図４に示す保持部材と同じである。すなわち、この保持部材４００は、図８（Ａ）に示すように、反射ミラー３５０の非反射面３５０ｂに当接する平面状の本体部４１０と、反射ミラー３５０の短手方向の上縁の端部を囲んで支持する上部支持部４２０と、反射ミラー３５０の短手方向の下縁の端部を挟み込んで支持する下部支持部４３０と、ハウジング３７０（ボトムカバー部材３７４）の溝部３８０に係合する略円筒形状の溝係合部４４０とを有する。このとき、保持部材４００の溝係合部４４０と係合するハウジング３７０（ボトムカバー部材３７４）の溝部は、図８（Ｂ）に示すように、Ｖ字形の溝部３８０ａであっても、図８（Ｃ）に示すように、Ｕ字形の溝部３８０ｂであってもよい。
【００８２】
図９に示す例は、保持部材を２つの部品で構成した場合である。図９に示す保持部材４５０は、図９（Ａ）に示すように、本体部４１０と、上部支持部４２０と、下部支持部４３０と、略円筒形状の溝係合部４６０とを有する。このとき、保持部材４５０の溝係合部４６０と係合するハウジング３７０（ボトムカバー部材３７４）の溝部は、図９（Ｂ）に示すように、Ｖ字形の溝部３８０ａであっても、図９（Ｃ）に示すように、Ｕ字形の溝部３８０ｂであってもよい。
【００８３】
図１０は、図９の保持部材４５０の構成の一例を示す図である。図１０に示す保持部材４５０ａは、図１０（Ａ）に示す２つの部品４５１、４５３で構成されている。一方の部品４５１には、圧入部４５２が形成されている。もう一方の部品４５３は、円柱形状をしており、その側面に角穴４５４が形成されている。保持部材４５０ａの溝係合部４６０ａは、部品４５１の圧入部４５２を部品４５３の角穴４５４に圧入することによって構成される。すなわち、保持部材４５０ａは、部品４５１の圧入部４５２を部品４５３の角穴４５４に圧入することによって組み立てられる。図１０（Ｂ）は、図１０（Ａ）の２つの部品４５１、４５３を組み立てて完成した保持部材４５０ａを示している。
【００８４】
図１１は、図９の保持部材４５０の構成の他の例を示す図である。図１１に示す保持部材４５０ｂは、図１１（Ａ）に示す２つの部品４５５、４５７で構成されている。一方の部品４５５には、挿入部４５６が形成されている。もう一方の部品４５７は、断面がＣ字形の略円筒形状をしており、その側面にＣ字用の溝４５８が形成されている。保持部材４５０ｂの溝係合部４６０ｂは、部品４５５の挿入部４５６を部品４５７のＣ字用溝４５８に挿入することによって構成される。すなわち、保持部材４５０ｂは、部品４５５の挿入部４５６を部品４５７のＣ字用溝４５８に挿入することによって組み立てられる。図１１（Ｂ）は、図１１（Ａ）の２つの部品４５５、４５７を組み立てて完成した保持部材４５０ｂを示している。
【００８５】
図１２は、保持部材の溝係合部の他の形状を示す図である。図１２に示す保持部材４７０は、１つの部品で構成された図４に示す保持部材４００と同様の基本的構成を有するが、溝係合部の形状が違っている。この保持部材４７０の溝係合部４８０は、図１２（Ａ）に示すように、金属板の、下部支持部４３０に挟まれた部分を、下部支持部４３０よりも下方に位置するように、上部支持部４２０および下部支持部４３０と同じ側にＬ字形状に折り曲げて形成されている（Ｌ字曲げ）。ただし、溝係合部４８０の曲げ部分には、アール（Ｒ）が形成されている。このとき、保持部材４７０の溝係合部４８０と係合するハウジング３７０（ボトムカバー部材３７４）の溝部は、図１２（Ｂ）に示すように、例えば、約１２０度のＶ字形の溝部３８０ａである。
【００８６】
なお、本実施の形態では、カラー画像形成装置への適用を例にとって説明したが、もちろん、本発明はこれに限定されない。
【産業上の利用可能性】
【００８７】
本発明に係るレーザ走査装置およびこれを備えた画像形成装置は、小型化を図る際に、レーザ光が遮断されないように、短手方向の長さを短くした反射ミラー、または、非反射面側の短手方向の稜に面取りを施した反射ミラーを使用しても、かかる反射ミラーを安定した姿勢で保持することができ、しかも、レーザ光を対象物の所定の位置に照射できるように、保持角度の調整を行うことができるという効果、つまり、反射ミラーの保持の安定性と、反射ミラーの保持角度の調整のしやすさと、装置全体の小型化とをすべて両立することができるという効果を有し、レーザ光を対象物に向けて折り曲げる反射ミラーを有するレーザ走査装置およびこれを備えた画像形成装置（プリンタやデジタル複写機、ファクシミリなど）に有用である。
【図面の簡単な説明】
【００８８】
【図１】本発明の一実施の形態に係るレーザ走査装置を適用したカラー画像形成装置を示す概略構成図
【図２】図１に示すレーザ走査装置の概略構成を示す展開図
【図３】図１に示すレーザ走査装置の概略断面図
【図４】本実施の形態における反射ミラー用保持部材の構成を示す斜視図
【図５】図４に示す保持部材を用いた反射ミラー保持角度調整構造を示す要部断面図
【図６】図５に示す反射ミラー保持角度調整構造を含む反射ミラーの保持構造を示す斜視図
【図７】図６に示す反射ミラーの保持構造の分解斜視図
【図８】本実施の形態における反射ミラー用保持部材のバリエーションの一例を示す図
【図９】本実施の形態における反射ミラー用保持部材のバリエーションの他の例を示す図
【図１０】図９に示す保持部材の構成の一例を示す図
【図１１】図９に示す保持部材の構成の他の例を示す図
【図１２】本実施の形態における反射ミラー用保持部材のバリエーションのさらに他の例を示す図
【図１３】従来の反射ミラー保持角度調整構造の一例を示す図
【図１４】図１３に示す反射ミラー保持角度調整構造の問題点を説明するための図
【符号の説明】
【００８９】
１００  画像形成装置
２００  画像形成部
２１２ａ、２１２ｂ、２１２ｃ、２１２ｄ  感光体ドラム
３００  レーザ走査装置
３１０  レーザ発光部
３１２ａ、３１２ｂ、３１２ｃ、３１２ｄ  半導体レーザユニット
３１６ａ、３１６ｂ、３１６ｃ、３１６ｄ  シリンドリカルレンズユニット
３２０  ポリゴンモータユニット
３３０  ｆθレンズ
３４０ａ、３４０ｂ  同期センサ
３４２ａ、３４２ｂ  同期センサ用反射ミラー
３５０  反射ミラー
３５０ａ  反射面
３５０ｂ  非反射面
３５１  面取り部
３５２ａ、３５２ｂ、３５２ｃ、３５２ｄ  第１反射ミラー
３５４ａ、３５４ｂ、３５４ｃ、３５４ｄ  シリンドリカルミラー
３５６ａ、３５６ｂ、３５６ｃ、３５６ｄ  第２反射ミラー
３６０、３６０ａ、３６０ｂ、３６２ａ、３６２ｂ、３６２ｃ、３６２ｄ、３６４ａ、３６４ｂ、３６４ｃ、３６４ｄ、３６６ａ、３６６ｂ、３６６ｃ、３６６ｄ  弾性部材
３７０  ハウジング
３７２  トップカバー部材
３７４  ボトムカバー部材
３７４ａ、３７４ｂ  凸部（反射ミラー取付部）
３８０  溝部
４００  保持部材
４１０  本体部
４２０  上部支持部
４３０  下部支持部
４４０  溝係合部
５００  調整ねじ
５０２  調整ねじの頭部
５１０  工具
【図１】
2008009000.tif 000003
【図２】
2008009000.tif 000004
【図３】
2008009000.tif 000005
【図４】
2008009000.tif 000006
【図５】
2008009000.tif 000007
【図６】
2008009000.tif 000008
【図７】
2008009000.tif 000009
【図８】
2008009000.tif 000010
【図９】
2008009000.tif 000011
【図１０】
2008009000.tif 000012
【図１１】
2008009000.tif 000013
【図１２】
2008009000.tif 000014
【図１３】
2008009000.tif 000015
【図１４】
2008009000.tif 000016